(57)【要約】      （修正有）【課題】出会いの機会が均等に用意され、自身に適した異性利用者を容易に導出する出会い支援システムを提供する。【解決手段】支援サーバ１は、利用者端末１０から入力された利用者情報及び利用者のペアに関する組み合わせ情報を記録し、複数の男性利用者及び複数の女性利用者の集合であるマッチング集合への参加者の募集及びマッチング集合の作成を行い、設定された入力可能期間内に利用者端末から入力された、マッチング集合に属する異性利用者とのマッチングの希望順位を記録し、希望順位に基づいて、マッチング集合に属する男性利用者及び女性利用者が重複しない複数のペアを導出する。導出されたペアを組み合わせ情報として記録し、組み合わせ情報として記録された利用者間で双方向に連絡を行うことを可能にする。【選択図】図１
2016018312.tif 000002
【特許請求の範囲】
【請求項１】
マッチング集合を作成して利用者間での出会いを支援するための支援サーバと、前記支援サーバとネットワークを通じて接続された複数の利用者端末とを備えた出会い支援システムであって、
前記支援サーバは、前記利用者端末から入力された利用者情報及び利用者のペアに関する組み合わせ情報を記録する利用者情報記録部と、
複数の男性利用者及び複数の女性利用者の集合であるマッチング集合への参加者の募集及び前記マッチング集合の作成を行う集合作成手段と、
設定された入力可能期間内に前記利用者端末から入力された、前記マッチング集合に属する異性利用者とのマッチングの希望順位を記録する順位受付手段と、
前記希望順位に基づいて、前記マッチング集合に属する男性利用者及び女性利用者が重複しない複数のペアを導出するマッチング手段と、
前記マッチング手段によって導出されたペアを前記組み合わせ情報として記録する追加手段と、
前記組み合わせ情報として記録された利用者間で双方向に連絡を行う為の連絡手段と、を有することを特徴とする出会い支援システム。
【請求項２】
前記マッチング手段によって導出されたペアのうち、双方の利用者が許諾を行ったペアは、
前記追加手段によって組み合わせ情報として記録されることを特徴とする請求項１に記載の出会い支援システム。
【請求項３】
前記マッチング手段は前記希望順位に基づいて、導出された複数のペアにより構成された第１のマッチングに加え、既に導出されたマッチングに含まれておらず、男性利用者及び女性利用者が重複しない複数のペアによって構成された第２以降のマッチングを導出することを特徴とする請求項１又は請求項２に記載の出会い支援システム。
【請求項４】
前記マッチング手段は、各利用者が入力した前記希望順位及び前記希望順位によって導出された各ペアの得点に基づいて、前記得点が高い組み合わせから優先的に、前記マッチング集合に属する男性利用者及び女性利用者が重複しないように複数のペアを決定することを特徴とする請求項１〜３の何れかに記載の出会い支援システム。
【請求項５】
前記支援サーバは、前記入力可能期間内に入力が完了されていない利用者の希望順位を自動で入力する自動入力手段を有することを特徴とする請求項１〜４の何れかに記載の出会い支援システム。
【請求項６】
前記自動入力手段による希望順位の入力は、同一のマッチング集合に属する同性利用者が入力した希望順位に基づいて決定されることを特徴とする請求項５に記載の出会い支援システム。
【請求項７】
前記支援サーバは、前記組み合わせ情報として記録された利用者のペアのうち、一人の利用者が属することができるペアの数に上限を設ける上限設定手段を有することを特徴とする請求項１〜６の何れかに記載の出会い支援システム。
【請求項８】
前記集合作成手段は、利用者によって参加条件を設定されたマッチング集合への参加者を募ることを特徴とする請求項１〜７の何れかに記載の出会い支援システム。
【請求項９】
マッチング集合を作成して利用者間での出会いを支援するための出会い支援方法であって、
複数の男性利用者及び複数の女性利用者の集合であるマッチング集合への参加者の募集及び前記マッチング集合の作成を行うステップと、
設定された入力可能期間内に入力された、前記マッチング集合に属する異性利用者とのマッチングの希望順位を受け付けるステップと、
前記希望順位に基づいて、前記マッチング集合に属する男性利用者及び女性利用者が重複しない複数のペアを導出するステップと、
前記マッチング手段によって導出されたペアを前記組み合わせ情報として記録するステップと、
前記組み合わせ情報として記録された利用者間で双方向に連絡を行うステップと、を有することを特徴とする出会い支援方法。
【請求項１０】
マッチング集合を作成して利用者間での出会いを支援するための支援サーバであって、
入力された利用者情報及び利用者のペアに関する組み合わせ情報を記録する利用者情報記録部と、
複数の男性利用者及び複数の女性利用者の集合であるマッチング集合への参加者の募集及び前記マッチング集合の作成を行う集合作成手段と、
設定された入力可能期間内に前記利用者端末から入力された、前記マッチング集合に属する異性利用者とのマッチングの希望順位を記録する順位受付手段と、
前記希望順位に基づいて、前記マッチング集合に属する男性利用者及び女性利用者が重複しない複数のペアを導出するマッチング手段と、
前記マッチング手段によって導出されたペアを前記組み合わせ情報として記録する追加手段と、
前記組み合わせ情報として記録された利用者間で双方向に連絡を行う為の連絡手段と、を有することを特徴とする支援サーバ。
【請求項１１】
マッチング集合を作成させ利用者間での出会いを支援させるための出会い支援プログラムであって、
コンピュータを、複数の男性利用者及び複数の女性利用者の集合であるマッチング集合への参加者の募集及び前記マッチング集合の作成を行うステップと、
設定された入力可能期間内に入力された、前記マッチング集合に属する異性利用者とのマッチングの希望順位を受け付けるステップと、
前記希望順位に基づいて、前記マッチング集合に属する男性利用者及び女性利用者が重複しない複数のペアを導出するステップと、
前記マッチング手段によって導出されたペアを前記組み合わせ情報として記録するステップと、
前記組み合わせ情報として記録された利用者間で双方向に連絡を行うステップと、として機能させることを特徴とする出会い支援プログラム。
【発明の詳細な説明】
【技術分野】
【０００１】
本発明は、インターネット上での男女の出会いを支援するための、出会い支援システムに関するものである。
【背景技術】
【０００２】
結婚を望む男女に出会いの場を提供し、成婚へと導くサービスが数多く存在している。従来は、お見合いパーティのような対面式の出会いサービスが主流であったが、近年では、インターネットを用いた非対面式の出会いサービスが注目を浴びている。
【０００３】
非対面式の出会いサービスでは、各利用者が自身のプロフィールや写真等をインターネット上に公開しており、その公開された情報を基に適合する異性を導出して、電子メール等のメッセージサービスを用いて連絡を行うのが一般的である。
【０００４】
非対面式の出会いサービスの一般化に伴い、対面式の出会いサービスに比べて極めて手軽にサービスを利用することができ、また多くの利用者がいる中から、自身の希望により適合した異性と出会うことが可能となった。
【０００５】
特許文献１には、格納された利用者情報を基に、各利用者が好むと思われる利用者に関する情報を出力することで利用者相互の出会いを支援するための出会い支援システムが記載されている。特許文献１に記載の発明によって、膨大な数いる利用者の中から、より自身の希望に近い異性を選出させることができ、効率的にアプローチを行うことが可能となった。
【先行技術文献】
【特許文献】
【０００６】
【特許文献１】特開２００２−２０７８４２号公報
【発明の概要】
【発明が解決しようとする課題】
【０００７】
しかしながら、各利用者の掲げる希望条件は、ある程度共通した側面を持っている場合が多い。例えば、相対的に、収入が低い異性利用者の人気度は低くなると考えられる。また、年齢や外見など、各人の好みは異性利用者の分布の中で偏る傾向がある。また、非対面式の出会いサービスでは容易に連絡を行うことが可能であるため、自身より相対的に人気度の高い異性利用者に対して連絡を行う傾向が強まる。そのため、各利用者間で共通する希望条件を満たす利用者に人気が集中することとなる。
【０００８】
既存の出会い支援システムでは、利用者が異性利用者にメッセージ等を送信して連絡を行うステップ、該異性利用者が該利用者のプロフィールなどを確認するステップ、該異性利用者が該利用者と連絡を取るステップ、という流れで出会いの支援を行うことが一般的であった。
【０００９】
異性利用者は連絡を受けた利用者を比較して連絡を取り合う利用者の選定を行うが、人気の集中が起こることにより、人気度の高い利用者には膨大な数の連絡が届くこととなる。膨大な数の利用者の比較を精密に行うことは多大な労力が必要とするものであり、そのまま連絡が返ってこない保留状態の利用者も膨大な数生まれることとなる。
【００１０】
インターネットを用いて膨大な異性利用者と出会うことが可能となった半面、人気の集中が起こることによって、適切な出会いの機会が阻害されることとなった。また、自身に適した異性利用者を見つけることは、異性利用者の数が膨大になるにつれて困難性を増すばかりである。そのため、異性利用者との出会いの機会が均等に用意され、自身に適した異性利用者を容易に導出できる非対面式の出会いサービスが待ち望まれていた。
【００１１】
本発明は、このような実状に鑑みてなされたものであり、出会いの機会が均等に用意され、自身に適した異性利用者を容易に導出することが可能な出会い支援システムを提供することを課題とする。
【課題を解決するための手段】
【００１２】
上記課題を解決するために、本発明は、マッチング集合を作成して利用者間での出会いを支援するための支援サーバと、前記支援サーバとネットワークを通じて接続された複数の利用者端末とを備えた出会い支援システムであって、前記支援サーバは、前記利用者端末から入力された利用者情報及び利用者のペアに関する組み合わせ情報を記録する利用者情報記録部と、複数の男性利用者及び複数の女性利用者の集合であるマッチング集合への参加者の募集及び前記マッチング集合の作成を行う集合作成手段と、設定された入力可能期間内に前記利用者端末から入力された、前記マッチング集合に属する異性利用者とのマッチングの希望順位を記録する順位受付手段と、前記希望順位に基づいて、前記マッチング集合に属する男性利用者及び女性利用者が重複しない複数のペアを導出するマッチング手段と、前記マッチング手段によって導出されたペアを前記組み合わせ情報として記録する追加手段と、前記組み合わせ情報として記録された利用者間で双方向に連絡を行う為の連絡手段と、を有することを特徴とする。
【００１３】
このような構成とすることで、一定の利用者に人気が集中しない出会い支援システムを提供することが可能である。そのため、多くの利用者に、より均等に出会いの機会を提供することができる。また、これまで人気の集中していた利用者には膨大な量の連絡が来ていたが、本発明を用いることによって、膨大な件数の連絡を処理する必要がなくなり、自身のペースに合わせて出会いの機会を得ることが可能となった。
【００１４】
本発明の好ましい形態では、前記マッチング手段によって導出されたペアのうち、双方の利用者が許諾を行ったペアは、前記追加手段によって組み合わせ情報として記録されることを特徴とする。
マッチングは希望の順位を基に行われるため、必ずしも希望している異性とペアになれるわけではない。また、希望順位の入力ミス等によって、意図しない相手と連絡をする必要が生じてしまう。このような構成とすることで、そうした意図しない相手との連絡を行わないようにすることができる。
【００１５】
本発明の好ましい形態では、前記マッチング手段は前記希望順位に基づいて、導出された複数のペアにより構成された第１マッチングに加え、既に導出されたマッチングに含まれておらず、男性利用者及び女性利用者が重複しない複数のペアによって構成された第２以降のマッチングを導出することを特徴とする。
このような構成とすることで、より複数のペアを導出可能にし、マッチングを効率的に行うことができる。
【００１６】
本発明の好ましい形態では、前記マッチング手段は、各利用者が入力した前記希望順位及び前記希望順位によって導出された各ペアの得点に基づいて、前記得点が高い組み合わせから優先的に、前記マッチング集合に属する男性利用者及び女性利用者が重複しないように複数のペアを決定することを特徴とする。
【００１７】
本発明の好ましい形態では、前記支援サーバは、前記入力可能期間内に入力が完了されていない利用者の希望順位を自動で入力する自動入力手段を有することを特徴とする。
このような構成とすることで、希望順位の入力を忘れた利用者に関してもマッチング結果に反映することができる。
【００１８】
本発明の好ましい形態では、前記自動入力手段による希望順位の入力は、同一のマッチング集合に属する同性利用者が入力した希望順位に基づいて決定されることを特徴とする。
このような構成とすることで、ランダムに希望順位を自動入力するよりも、より利用者の実態に沿ったマッチング結果を入力することができる。
【００１９】
本発明の好ましい形態では、前記支援サーバは、前記組み合わせ情報として記録された利用者のペアのうち、一人の利用者が属することができるペアの数に上限を設ける上限設定手段を有することを特徴とする。
複数回のマッチングを経ることによって、人気度の低い利用者は、マッチングの結果ペアとして導出されない可能性がある。そのため、長期的に見た場合、従来の出会い支援システムと同様、人気度の高い利用者が多くの異性利用者と連絡可能となり、人気の集中が起こってしまう。このような構成とすることで、１人の利用者が並行して連絡可能な異性利用者の数を制限することができるため、各利用者で連絡を取ることが可能な機会が均等化させ、より出会いの機会を高めることができる。
【００２０】
本発明の好ましい形態では、前記集合作成手段は、利用者によって参加条件を設定されたマッチング集合への参加者を募ることを特徴とする。
このような構成とすることで、利用者は自身の希望する条件の利用者を募集して、マッチングを行うことが可能となる。また、同じ趣味の仲間等でマッチング集合を結成することが可能となり、より出会いを促進させることが可能となる。
【００２１】
本発明は、マッチング集合を作成して利用者間での出会いを支援するための出会い支援方法であって、複数の男性利用者及び複数の女性利用者の集合であるマッチング集合への参加者の募集及び前記マッチング集合の作成を行うステップと、設定された入力可能期間内に入力された、前記マッチング集合に属する異性利用者とのマッチングの希望順位を受け付けるステップと、前記希望順位に基づいて、前記マッチング集合に属する男性利用者及び女性利用者が重複しない複数のペアを導出するステップと、前記マッチング手段によって導出されたペアを前記組み合わせ情報として記録するステップと、前記組み合わせ情報として記録された利用者間で双方向に連絡を行うステップと、を有することを特徴とする。
【００２２】
本発明は、マッチング集合を作成して利用者間での出会いを支援するための支援サーバであって、入力された利用者情報及び利用者のペアに関する組み合わせ情報を記録する利用者情報記録部と、複数の男性利用者及び複数の女性利用者の集合であるマッチング集合への参加者の募集及び前記マッチング集合の作成を行う集合作成手段と、設定された入力可能期間内に前記利用者端末から入力された、前記マッチング集合に属する異性利用者とのマッチングの希望順位を記録する順位受付手段と、前記希望順位に基づいて、前記マッチング集合に属する男性利用者及び女性利用者が重複しない複数のペアを導出するマッチング手段と、前記マッチング手段によって導出されたペアを前記組み合わせ情報として記録する追加手段と、前記組み合わせ情報として記録された利用者間で双方向に連絡を行う為の連絡手段と、を有することを特徴とする。
【００２３】
本発明は、マッチング集合を作成させ利用者間での出会いを支援させるための出会い支援プログラムであって、コンピュータを、複数の男性利用者及び複数の女性利用者の集合であるマッチング集合への参加者の募集及び前記マッチング集合の作成を行うステップと、設定された入力可能期間内に入力された、前記マッチング集合に属する異性利用者とのマッチングの希望順位を受け付けるステップと、前記希望順位に基づいて、前記マッチング集合に属する男性利用者及び女性利用者が重複しない複数のペアを導出するステップと、前記マッチング手段によって導出されたペアを前記組み合わせ情報として記録するステップと、前記組み合わせ情報として記録された利用者間で双方向に連絡を行うステップと、として機能させることを特徴とする。
【発明の効果】
【００２４】
本発明によって、出会いの機会が均等に用意され、自身に適した異性利用者を容易に導出することが可能な出会い支援システムを提供することが可能となった。
【図面の簡単な説明】
【００２５】
【図１】本発明の実施形態に係る出会い支援システムの全体図である。
【図２】本発明の実施形態に係る支援サーバのハードウェア構成を示す図である。
【図３】本発明の実施形態に係る支援サーバの機能ブロック図である。
【図４】本発明の実施形態に係る利用者情報テーブル及び組み合わせ情報テーブルを示す図である。
【図５】本発明の実施形態に係る希望順位入力画面を示す。
【図６】本発明の実施形態に係るマッチングの一例を示す。
【図７】本発明の実施形態に係るペア導出の際の処理フローチャートを示す。
【発明を実施するための形態】
【００２６】
以下、本発明の実施形態について図面を参照して説明する。以下の実施形態の構成は例示であり、本発明は実施形態の構成に限定されない。
【００２７】
図１は、本実施形態における出会い支援システムの全体図である。出会い支援システムは、マッチング集合を作成して利用者間での出会いを支援するための支援サーバ１と、前記支援サーバ１とネットワークを通じて接続された複数の利用者端末１０と、を備えている。利用者端末１０は、出会い支援システムの利用者が操作を行うコンピュータや携帯情報端末などである。
【００２８】
図２は、本実施形態における支援サーバの１のハードウェア構成を示す。ＣＰＵ１００には、メモリ１０１、通信装置１０２、入力装置１０３、出力装置１０４、ハードディスク１０５が接続されている。ハードディスク１０５には、オペレーティングシステム１０６、出会い支援プログラム１０７などが記録されている。出会い支援プログラム１０７は、オペレーティングシステム１０６と協調してその機能を発揮するものである。
【００２９】
図３は、本実施形態における支援サーバ１の機能ブロック図を示す。支援サーバ１は、前記利用者端末１０から入力された利用者情報及び利用者のペアに関する組み合わせ情報を記録する利用者情報記録部２と、マッチングを行う為のマッチング集合を作成する集合作成手段３と、前記利用者端末１０から入力されたマッチングを行う際の希望順位を記録する順位受付手段４と、希望順位の自動入力を行う自動入力手段５と、前記希望順位に基づいて前記マッチング集合に属する男性利用者及び女性利用者が重複しない複数のペアを導出するマッチング手段６と、マッチング手段６によって導出されたペアを組み合せ情報として記録する追加手段７と、組み合わせ情報として記録されたペア間で連絡を行う為の連絡手段８と、追加手段７によって追加可能な人数に上限を設けるための上限設定手段９と、を有する。
【００３０】
利用者情報記録部２は、前記利用者端末１０から入力された利用者情報と、利用者のペアに関する組み合わせ情報と、を記録している。利用者情報記録部２は支援サーバ１の外部に備えられていても構わない。
【００３１】
利用者情報は、例えば、図４（ａ）に示すように、各利用者の利用者ＩＤ、名前、性別、などに関する基本情報、利用者端末１０上に各利用者独自の画面を取得してシステムの利用を行う為のログイン情報、他の利用者に向けて自身のプロフィールとして開示するための職業や収入、趣味、その他コメント等に関するプロフィール情報、他の利用者に向けて自身の画像を開示するための画像情報、システム内で他の利用者とやり取りしたメッセージなどを記録した連絡情報、などを備えている。
【００３２】
組み合わせ情報は、例えば、図４（ｂ）に示すように、組み合わせを一意に導出可能な組み合わせＩＤ、後述するマッチングによって導出された一人の男性利用者及び一人の女性利用者の組み合わせに関する情報、その組み合わせが有効か無効かを表す状態情報、などを記録している。これらデータテーブルの記載は本実施形態における一例を示すものである。
【００３３】
集合作成手段３は、マッチング集合への参加者の募集と、複数の男性利用者及び複数の女性利用者の集合であるマッチング集合の作成を行う。マッチングへの参加者の募集は、システムの管理者や出会い支援システム側から行うようにしても構わないし、利用者が自身でマッチングへの参加者を募集して、マッチング集団を作成可能に構成しても構わない。マッチングへの参加者の募集に当たり、その参加可能人数が設定される。また、参加条件を設定可能であっても構わない。参加条件とは、例えば居住地や年齢、趣味などであり、予め記録された利用者情報の内容を基に参加の可否を判定可能であっても構わない。
【００３４】
マッチングへの参加可能人数は何人でも構わないが、男性利用者及び女性利用者が双方１０人ずつ程度の集団であるのが好ましい。これにより、十分に異性利用者を比較検討したうえで希望順位の入力を行うことが可能である。
【００３５】
順位受付手段４は、複数の男性利用者及び複数の女性利用者の集合であるマッチング集合において、前記利用者端末１０から入力された、同一のマッチング集合に属する異性利用者とのマッチングの希望順位の入力を受け付け、希望順位を記録する。希望順位を決定する際に、異性利用者のプロフィールの詳細や、利用者が任意に公開している画像等を閲覧可能であるのが好ましい。利用者端末１０から異性利用者に対するマッチングの希望順位を入力する際の画面例を図５に示す。利用者による希望順位の入力の受け付けには、入力を受け付ける期間が設定されているが、その期間内であれば一度入力した希望順位を変更可能であるのが好ましい。また、マッチングを希望しない異性利用者（忌避利用者）がいる場合、マッチング結果に反映されないように指定可能であるのが好ましい。
【００３６】
期間終了時に入力されていなかった利用者の希望順位は、自動入力手段５によって自動的に入力される。自動入力手段５では、ランダムに決定された順位や、他の同性利用者が入力した希望順位を基に導出された順位が入力される。他の同性利用者が入力した希望順位を基に順位を決定する方法としては、何れかの同性利用者が設定した順位と同様の希望順位を設定したり、各同性利用者が入力した希望順位に基づいて得点を設定し、同性利用者グループにおける各異性利用者の人気度を得点化して、人気度に基づいた希望順位を設定することで入力可能である。
【００３７】
男性利用者Ｍ１〜Ｍ３及び女性利用者Ｆ１〜Ｆ３の計６名からなるマッチング集合における希望順位は、図６（ａ）に示すように、左図のような男性利用者Ｍ１〜Ｍ３による女性利用者とのマッチング希望順位と、右図のような女性利用者Ｆ１〜Ｆ３による男性利用者のマッチング希望順位と、によって構成される。図６（ａ）における空欄部分は、忌避利用者がいることを示している。希望順位は異性利用者の人数分の順位を入力可能にしているが、一名の異性利用者のみ入力が可能であっても構わないし、上位数名の異性利用者について入力が可能であっても構わない。
【００３８】
マッチング手段６は、希望順位に基づいて、同一のマッチング集合に属する複数の男性利用者及び複数の女性利用者が重複しない複数のペアの導出を行う。マッチングの結果導出されたペアは、追加手段７によって組み合わせ情報として利用情報記録部２に記録され、連絡手段８によって連絡を取ることが可能となる。導出されたペアが自動的に連絡可能になってもよいし、導出されたペアに含まれる利用者双方が、連絡可能状態になることを許諾した場合に限り、連絡が可能になるように構成してもよい。
【００３９】
また、連絡手段８による連絡を行う為に利用情報記録部２に記録された組み合わせ情報について、一人の利用者が属することができるペアの数に、上限設定手段９を用いて上限を設けるようにしても構わない。組み合わせ情報として記録されたある利用者を含むペア数を導出し、既に規定数に達している場合は、新規のペアを記録しない、もしくは既に記録された何れかのペアの状態情報を無効にして、新規に有効なペアの記録を行う。
【００４０】
図６を用いて、マッチング手段６によるマッチングの方法を例示する。図６（ｃ）〜（ｈ）は、左図が男性利用者の希望順位を優先した場合、右図が女性利用者の希望順位を優先した場合のマッチング処理に関するものである。本例では、男性利用者Ｍ１〜Ｍ３及び女性利用者Ｆ１〜Ｆ３がマッチング集合に属する場合を例示する。このマッチング集合に属する利用者は、マッチングを希望する異性利用者の希望順位を最大３人まで入力することができ、図６（ａ）に示す希望順位を基に、上位２パターンのマッチング結果（第１マッチング及び第２マッチング）に基づいてペアが決定される。
【００４１】
まず、図６（ｃ）に示すように、図６（ａ）の希望順位から、忌避利用者を書き出す。Ｍ２はＦ３を希望順位に含めていないこと、Ｆ２はＭ１を希望順位に含めていないことから、Ｍ２−Ｆ３及びＭ１−Ｆ２のペアはマッチング結果に導出されなくなる。必ずしも忌避利用者をはじめにすべて書き出す必要はなく、後述の仮マッチングの際に、利用者ごとに書き出すようにしても構わない。
【００４２】
次に、図６（ｄ）に示すように、左図ではＭ１の希望順位を、右図ではＦ１の希望順位を仮マッチングする。左図において、Ｍ１−Ｆ２の組み合わせは導出されないため、Ｍ１の希望順位で２位のＦ１が仮第１マッチング（Ｔｍｐ１）に、３位のＦ３が仮第２マッチング（Ｔｍｐ２）に繰り上がる。同様に、図６（ｅ）に示すように、Ｍ２、Ｆ２の希望順位も仮マッチングさせる。
【００４３】
更に、図６（ｆ）に示すように、Ｍ３、Ｆ３の希望順位を仮マッチングする。左図の仮第１マッチングの列において、Ｍ１−Ｆ１のペアと、Ｍ３−Ｆ１のペアが仮マッチングされ、Ｆ１が重複する形となった。図６（ｂ）におけるＦ１の希望順位では、Ｍ３（２位）がＭ１（３位）よりも上位になっているため、Ｍ１の仮マッチングが解除され、仮第２マッチングの列にいたＦ３が仮第１マッチングの列に繰り上がる。右図でも同様に、Ｆ３行の仮第１マッチング列にＭ１が繰り上がる。
【００４４】
全ての同性利用者の仮マッチングが終了し、各仮マッチング列において重複する異性利用者がいなくなった場合、図６（ｇ）に示すように、マッチング結果が導出される。ここで、Ｍ３及びＦ３を仮マッチングした際に仮第１マッチング列から除外されたＦ１及びＭ１を、マッチング結果にて空欄になった個所に、再配置するように構成してもよい。再配置の方法は、例えば空欄の内、順位の高い仮マッチング列から順番に仮マッチングを行い、重複がなければ配置することで再配置が可能である。同様の利用者が同様のマッチング列に配置された場合、対象となる利用者の希望順位を基に優先的に配置する個所を導出することができる。図６（ｇ）において括弧付きで表される異性利用者は、再配置を行ったものである。
【００４５】
ここで、男性優位の場合及び女性優位の場合で導出したマッチング結果の内、どちらが有意か判別し、最終的に採用するマッチング結果を決定する。本例では、図６（ａ）の希望順位に基づいて各ペアの得点を設定している。各利用者の順位に基づいて、順位の入力が可能な異性利用者数から対象の異性利用者の順位を差し引いた数を各ペアが得点となり、男性利用者及び女性利用者の希望順位双方から導出した各ペアの得点を足し合わせることで、図６（ｂ）に示すような得点が導出される。
【００４６】
図６（ｂ）における得点を、図６（ｇ）のマッチング結果に当てはめたものを図６（ｈ）に示す。ここで、上位２パターンのマッチング結果における得点を比較し、男性優位のマッチング結果及び女性優位のマッチング結果の何れかを採択する。また、双方の得点が同点の場合には、男性優位のマッチング結果を採択することとする。
【００４７】
本例では、図６（ｇ）の第１マッチング及び第２マッチングの合計得点は、左図・右図共に１２点のため同点である。そのため、図６（ｉ）に示すように、男性優位のマッチング結果を、第１マッチング、第２マッチングとして採択する。これにより、Ｍ１はＦ３と、Ｍ２はＦ２及びＦ１と、Ｍ３はＦ１及びＦ２とマッチングされ、導出された１対１のペア間で連絡を取り合うことが可能となる。
【００４８】
勿論ここに記載した以外のマッチング方法を用いて、利用者が重複しない第１マッチング及び、利用者が重複せず、それ以前に導出されたマッチング結果に記載のペアを含まない第２以降のマッチング結果を導出するようにしても構わない。
【００４９】
次いで、図７を用いて、利用者によるマッチング集合への参加から、ペア間で連絡可能となるまでの流れを説明する。利用者は、利用者端末１０のウェブブラウザ等を用いて出会い支援システムを利用することが可能である。利用者は、マッチング集合への参加ステップ、希望順位の入力ステップ、マッチングのステップ、の３ステップを経て異性利用者との連絡を行う。
【００５０】
まず、利用者はマッチング集合への参加ステップに進む。利用者は、マッチング集合への参加募集を見つけ、参加希望の要求を行う（Ｓ１）。このマッチング集合への参加募集は、ウェブブラウザ上から閲覧可能なウェブページ上で行なわれている。マッチング集合への参加の募集は、サービスの提供者側から行われても構わないし、利用者が作成を行って参加者を公募可能であっても構わない。マッチング集合には、参加可能人数と、参加条件と、が設定されている。
【００５１】
次にマッチング集合に参加可能な人数が上限に達していないか否かが判断される（Ｓ２）。上限に達している場合（Ｓ２でＮ）、利用者はＳ１に戻って別のマッチング集合への参加を行う。上限に達していない場合（Ｓ２でＹ）、Ｓ３に進む。
【００５２】
参加可能な人数の設定方法としては、男性１０人及び女性１０人の計２０人、といったように人数自体を制限する方法、参加を希望する女性の人数と同数まで男性を参加可能にし、募集期間終了後に参加者を任意の人数（例えば、男性１０人対女性１０人）に分割し、複数のマッチング集合を作成する方法、などが有る。
【００５３】
Ｓ３では、利用者がマッチング集合への参加条件を充足しているか否かが判別される。参加条件は、あらかじめ利用者が入力している自身の利用者情報を基に判別され、参加条件を満たしていない場合（Ｓ３でＮ）、Ｓ１に戻って参加条件を満たすマッチング集合を探すこととなる。参加条件を満たしている場合（Ｓ３でＹ）、マッチング集合への参加が確定する（Ｓ４）。マッチング集合への参加者の募集期間後にＳ５に進む。必ずしもマッチング集合への参加条件は設定されている必要はないが、設定可能であることによって、より年齢や趣味嗜好の近い利用者同士でマッチング集合を形成することができる。
【００５４】
次に、同一マッチング集合に参加する異性利用者とのマッチングの希望順位入力ステップに進む。希望順位の入力期間内の場合（Ｓ５でＹ）、マッチングを希望する異性利用者の希望順位の入力を行うことが可能である（Ｓ６）。希望順位を入力するに際して、各異性利用者のプロフィールなどを参照して、順位を決定する。ここで、利用者及び異性利用者間で、チャットなどを用いてコミュニケーションをとれるように構成しても構わない。また、この希望順位の入力は、希望順位の入力期間内であれば変更を加えることも可能である。
【００５５】
希望順位の入力期間が終了した場合（Ｓ５でＮ）、Ｓ７に進む。Ｓ７では、希望順位の入力期間内に、希望順位が入力されているか否かが判別される。希望順位が入力されている場合（Ｓ７でＮ）、そのままＳ９に進む。希望順位が入力されていない場合（Ｓ７でＹ）、自動入力手段５によって、希望順を入力していない利用者の希望順位が自動的に入力され（Ｓ８）、Ｓ９に進む。
【００５６】
次いで、マッチングのステップに進む。入力された各利用者の希望順位を基に、マッチングの結果が導出され、各利用者に通知される（Ｓ９）。マッチングの結果、ペアが導出された利用者はＳ１１に進む（Ｓ１０でＹ）。ペアが導出されなかった利用者は処理を終了する（Ｓ１０でＮ）。
【００５７】
ペアが導出された利用者は、ペアの相手と連絡を取り合うか否かの決定を行う（Ｓ１１）。許諾を行う場合にはＳ１２に進み（Ｓ１１でＹ）、許諾を行わない場合には処理を終了する（Ｓ１１でＮ）。
【００５８】
許諾を行った利用者は、組み合わせ情報として記録されている自身を含むペア（保持ペア）数が、上限に達しているか否かが判別される。上限に達していない場合には（Ｓ１２でＮ）、組み合わせ情報を利用者情報記録部２に記録し、ペアの相手と連絡を取り合うことが可能となる（Ｓ１４）。
【００５９】
保持ペア数が上限に達している場合（Ｓ１２でＹ）、既に記録されているペアを解消して（連絡を取ることができない状態に戻して）、今回のペアを記録するか否かを決定する（Ｓ１３）。保持ペアの変更を行う場合（Ｓ１３でＹ）、組み合わせ情報を利用者情報記録部２に記録し、今回導出されたペアの相手と連絡を取り合うことが可能となる（Ｓ１４）。保持ペアを解消しない場合（Ｓ１３でＮ）、処理を終了する。
【００６０】
既存の出会い支援システムでは、利用者が異性利用者にメッセージ等を送信して連絡を行うステップ、該異性利用者が該利用者のプロフィールなどを確認するステップ、該異性利用者が該利用者と連絡を取るステップもしくは連絡を取らないステップ、という流れで出会いの支援を行うことが一般的であった。しかし、人気度の高い一部の利用者に連絡が集中することによって、他の利用者は出会いの機会を失うこととなっていた。また、人気度の高い利用者には膨大な数の連絡が行われるため、それらを十分比較して検討することができなかった。
【００６１】
本実施形態によって、出会いの機会が均等に用意され、自身に適した異性利用者を容易に導出することが可能となった。
【００６２】
また、人気度の高い利用者は、異性利用者からの膨大な連絡を受けることがなくなるため、自身の利用ペースに合わせて利用を行うことが可能である。
【００６３】
また、インターネット上の不特定多数に自身のプロフィールを公開する必要がなくなり、同一マッチング集合に属する異性利用者にのみ公開することで出会いの機会を得ることが可能となる。
【産業上の利用可能性】
【００６４】
インターネットを用いて、マッチングによる異性利用者との出会い支援システムを提供することができる。
【符号の説明】
【００６５】
１  支援サーバ
２  利用者情報記録部
３  集合作成手段
４  順位受付手段
５  自動入力手段
６  マッチング手段
７  追加手段
８  連絡手段
９  上限設定手段
１０  利用者端末
１００  ＣＰＵ
１０１  メモリ
１０２  通信装置
１０３  入力装置
１０４  出力装置
１０５  ハードディスク
１０６  ＯＳ
１０７  出会い支援プログラム
【図１】
2016018312.tif 000003
【図２】
2016018312.tif 000004
【図３】
2016018312.tif 000005
【図４】
2016018312.tif 000006
【図５】
2016018312.tif 000007
【図６】
2016018312.tif 000008
【図７】
2016018312.tif 000009